(57)【特許請求の範囲】
【請求項１】
スピンドル（５）を備えた弁（１）のハンドホイール（４）の位置、ひいては弁（１）の遮断部材の位置をフィードバックするための電気式のフィードバック装置（６）であって、該電気式のフィードバック装置（６）は、弁（１）のハウジング上側部分（２）のスピンドルハウジング（１３）内に配置されており、当該電気式のフィードバック装置（６）と前記スピンドル（５）との間に、該スピンドル（５）と結合されたリング（４１）に配置されたねじ山（４２）を介して駆動される歯車（４３）が設けられていることを特徴とする、電気式のフィードバック装置（６）。
【請求項２】
前記ハンドホイール（４）の回転運動は、切換えカム（４５）の直線運動に変換される、請求項１記載の電気式のフィードバック装置（６）。
【請求項３】
当該電気式のフィードバック装置（６）は、少なくとも１つのマイクロスイッチ（４６）を有している、請求項２記載の電気式のフィードバック装置（６）。
【請求項４】
前記マイクロスイッチ（４６）は、直線運動可能に配置された前記切換えカム（４５）によって操作される、請求項３記載の電気式のフィードバック装置（６）。
【請求項５】
当該電気式のフィードバック装置（６）は、自己調整式にかつ追加取付け可能に形成されている、請求項１から４までのいずれか１項記載の電気式のフィードバック装置（６）。
【発明の詳細な説明】
【技術分野】
【０００１】
本発明は、弁のハンドホイールの位置、ひいては弁遮断部材の位置をフィードバックするための電気式のフィードバック装置に関する。
【背景技術】
【０００２】
管路構造では、種々異なった媒体の搬送流を調整するために弁が使用される。操作装置としてハンドホイールを備えて形成された弁は、ロックエレメントを用いて不正な操作に対して保護されねばならない。
【発明の概要】
【発明が解決しようとする課題】
【０００３】
本発明の課題は、弁のハンドホイールの位置、ひいては弁遮断部材の位置をフィードバックするための電気式のフィードバック装置を提供し、このフィードバック装置を適宜に配置することである。
【課題を解決するための手段】
【０００４】
この課題を解決するために本発明の構成では、電気式のフィードバック装置は、弁のハウジング上側部分のスピンドルハウジング内に配置されている。
【発明の効果】
【０００５】
本発明の有利な態様は、従属請求項に記載されている。
【０００６】
本発明によるフィードバック装置には、弁のハンドホイールの位置、ひいては弁遮断部材の位置をフィードバックするための電気式のフィードバック装置を、弁において好適に配置することができるという利点がある。
【０００７】
次に図面を参照しながら本発明の１実施形態を説明する。
【図面の簡単な説明】
【０００８】
【図１】操作装置を備えた弁を示す斜視図である。
【図２】ハンドホイールとして形成された操作装置を示す斜視図である。
【図３】ロックエレメントと弁のハウジング上側部分とを、ロックエレメントの第１の終端位置において示す斜視図である。
【図４】ロックエレメントと弁のハウジング上側部分とを、ロックエレメントの第２の終端位置において示す斜視図である。
【図５】ロックエレメントと弁のスピンドルとを、ロックエレメントの第１の終端位置において示す斜視図である。
【図６】ロックエレメントと弁のスピンドルとを、ロックエレメントの第２の終端位置において示す斜視図である。
【図７】本発明による電気式のフィードバック装置を示す斜視図である。
【図８】図７に示した電気式のフィードバック装置を上から見た図である。
【発明を実施するための形態】
【０００９】
図１には、例えばダイヤフラム弁である弁１が斜視図で示されている。弁１は、ハウジング上側部分２、このハウジング上側部分２に適合するハウジング下側部分３、図示の実施形態ではロックエレメント３２を備えたハンドホイール４である操作装置と、スピンドル５の延長部１５及び電気式のフィードバック装置６から成っている。ハウジング下側部分３は３つの開口を有しており、これらの開口のうち、図１には管接続管片７だけが見える。
【００１０】
図２にはハンドホイール４が斜視図で示されている。このハンドホイール４は半径方向に形成された切欠き３１を有しており、この切欠き３１内にはロックエレメント３２が半径方向で移動可能に収容され得る。
【００１１】
ロックエレメント３２は図３及び図４においてハウジング上側部分２と共働する様子が、かつ図５及び図６ではスピンドル５と共働する様子が示されている。ロックエレメント３２はスライダ３３を有しており、このスライダ３３は、鉛直方向に配置されていて半径方向に移動可能なプレートとして、ロックエレメント３２からハウジング上側部分２の上側面まで延びている。
【００１２】
図３においてスライダ３３は、スピンドル軸線に対して半径方向に押し込まれた状態で、つまり弁１の通常の運転状態において示されている。スライダ３３は貫通開口３４を有しており、この貫通開口３４を通して、ハウジング上側部分２の上側面に形成されたカム３５は、ハンドホイール４の回転時に通過させられる。図３の位置では弁１はハンドホイール４によって操作することができる。
【００１３】
図４においてスライダ３３は半径方向において押し出された状態で示されている。この位置においてハンドホイール４の半径方向ポジションは固定されている。ハンドホイール４はこの位置においては操作不能であり、スピンドル５はこの位置では回転することができない。弁をロックされた位置において固定するために、ロックエレメント３２は孔３６を有しており、この孔３６には、図示されていない南京錠又は他の適切な安全装置もしくは保護装置を挿入することができる。これにより、弁１の権限のないもしくは不正の操作が阻止される。
【００１４】
ロックエレメント３２は、図５及び図６に示されているように、さらに２つのばね弾性的なフィンガ３７，３８を有しており、両フィンガ３７，３８は、スピンドル５と共働するように形成されている。ばね弾性的なフィンガ３７，３８は、スピンドル５からのハンドホイール４の権限のない取外しを阻止する。スピンドル５に対するハンドホイール４の軸方向におけるポジションは、固定されている。ハンドホイール４の引き抜きは、ロックエレメント３２が、図５に示されているように通常の運転状態を占めている場合にのみ可能である。特殊工具を用いた場合にのみ、ばね弾性的なフィンガ３７，３８を外側に向かってスピンドル５から離反移動させることができ、これによりスピンドル５からのハンドホイール４の引き抜きが可能になる。ハンドホイール４の引き抜きは、ロックエレメント３２が半径方向運動を防止されている場合にのみ可能である。そのためにばね弾性的なフィンガ３７，３８は斜めの面４０を有しており、これらの斜めの面４０は、特殊工具によって外方に向かって押圧することができる。図６には、ばね弾性的なフィンガ３７の端部がスピンドル５のカム３９に係合している様子が示されており、その結果この運転位置においてハンドホイール４の引き抜きは阻止される。ロックエレメント３２を備えた上記のハンドホイール４によって、ただ１つの部材で、半径方向及び軸方向においてハンドホイール４の確実な固定を達成することができる。
【００１５】
図７及び図８には、ハンドホイール４の位置、ひいては弁１の遮断部材の位置をフィードバックするための電気式のフィードバック装置６が示されている。この電気式のフィードバック装置６は、弁１のハウジング上側部分２のスピンドルハウジング１３内に配置されている。ハウジング上側部分２内には、スピンドル５と結合されたリング４１が配置されており、このリング４１はリング縁部に形成されたねじ山４２を備えている。このねじ山４２は、歯車４３を介してウォーム歯車伝動装置４４と共働する。そしてこのウォーム歯車伝動装置４４は、直線運動を実施する２つの切換えカム４５を駆動する。これによってハンドホイール４の回転運動は切換えカム４５の直線運動に変換される。切換えカム４５はマイクロスイッチ４６と共働し、これらのマイクロスイッチ４６は電気的パルスを図示されていない位置表示器に送ることができる。
【符号の説明】
【００１６】
１  弁、  ２  ハウジング上側部分、  ３  ハウジング下側部分、  ４  ハンドホイール（操作装置）、  ５  スピンドル、  ６  フィードバック装置、  ７  管接続管片、  １５  延長部、  ３１  切欠き、  ３２  ロックエレメント、  ３３  スライダ、  ３４  貫通開口、  ３５  カム、  ３６  孔、  ３７，３８  フィンガ、  ４０  面、  ４１  リング、  ４２  ねじ山、  ４３  歯車、  ４４  ウォーム歯車伝動装置、  ４５  切換えカム、  ４６  マイクロスイッチ
【図１】
0005943980.tif 000002
【図２】
0005943980.tif 000003
【図３】
0005943980.tif 000004
【図４】
0005943980.tif 000005
【図５】
0005943980.tif 000006
【図６】
0005943980.tif 000007
【図７】
0005943980.tif 000008
【図８】
0005943980.tif 000009